Podtech/llm-jp-corpus-v4-ja_patent huggingface dataset:
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
電力のスイッチング動作を実行する１次側回路と、
シャントレギュレーターを有し、負荷側に出力電力を出力する２次側回路と、
前記２次側回路の出力電圧と前記シャントレギュレーターの基準電圧との比較結果を前記１次側回路にフィードバックし、前記２次側回路の前記出力電圧を制御するフィードバック回路と、
制御信号を前記フィードバック回路に出力して前記２次側回路の前記出力電圧を制御する制御信号回路と、
前記制御信号によって前記２次側回路の前記出力電圧を低下させた場合、前記シャントレギュレーターへの電流の供給をオフにするスイッチ回路と、を有するスイッチング電源回路を備える、
印刷装置。
【請求項２】
前記制御信号を前記制御信号回路に出力する制御回路を備え、
前記制御回路は、動作モードが、オフモード、又は、待機モードの少なくともいずれかである場合に、前記制御信号回路に前記制御信号を出力し、前記２次側回路の前記出力電圧を低下させる
請求項１に記載の印刷装置。
【請求項３】
前記スイッチ回路は、トランジスターと複数の抵抗とを備え、
前記トランジスターは、前記２次側回路の前記出力電圧が、前記複数の抵抗により規定される閾電圧に対応する電圧以下となった場合、前記シャントレギュレーターへの前記電流の供給をオフにする
請求項２に記載の印刷装置。
【請求項４】
前記２次側回路は、一定の前記電流を前記シャントレギュレーターに供給するための供給抵抗を介して、前記シャントレギュレーターに前記電流を供給可能に構成され、 
前記スイッチ回路は、前記制御信号によって前記２次側回路の前記出力電圧が低電圧になった場合、前記供給抵抗に対する前記電流の流入をオフにする
請求項１から３のいずれか一項に記載の印刷装置。
【請求項５】
電力のスイッチング動作を実行する１次側回路と、シャントレギュレーターを有し、負荷側に出力電力を出力する２次側回路と、前記２次側回路の出力電圧と前記シャントレギュレーターの基準電圧との比較結果を前記１次側回路にフィードバックし、前記２次側回路の前記出力電圧を制御するフィードバック回路とを有するスイッチング電源回路を備える印刷装置の制御方法であって、
前記スイッチング電源回路は、
制御信号を前記フィードバック回路に出力して前記２次側回路の前記出力電圧を制御し、
前記制御信号によって前記２次側回路の前記出力電圧を低下させた場合、前記シャントレギュレーターへの電流の供給をオフにする
印刷装置の制御方法。
【請求項６】
前記印刷装置は、前記制御信号を前記フィードバック回路に出力する制御回路を有しており、
前記制御回路は、
前記印刷装置の動作モードが、オフモード、又は、待機モードの少なくともいずれかである場合に、前記制御信号を前記フィードバック回路に出力して前記２次側回路の前記出力電圧を低下する
請求項５に記載の印刷装置の制御方法。
【請求項７】
電力のスイッチング動作を実行する１次側回路と、
シャントレギュレーターを有し、負荷側に出力電力を出力する２次側回路と、
前記２次側回路の出力電圧と前記シャントレギュレーターの基準電圧との比較結果を前記１次側回路にフィードバックし、前記２次側回路の前記出力電圧を制御するフィードバック回路と、 
制御信号を前記フィードバック回路に出力して前記２次側回路の前記出力電圧を制御する制御信号回路と、
前記制御信号によって前記２次側回路の前記出力電圧を低下させた場合、前記シャントレギュレーターへの電流の供給をオフするスイッチ回路と、を備える、
印刷装置用の電源回路。
【手続補正書】
【提出日】令和2年3月28日(2020.3.28)
【手続補正１】
【補正対象書類名】特許請求の範囲
【補正対象項目名】全文
【補正方法】変更
【補正の内容】
【特許請求の範囲】
【請求項１】
所定条件の成立に基づいて取得した取得情報を記憶する取得情報記憶手段と、
前記取得情報記憶手段に記憶される取得情報のうち、開始条件の成立した取得情報に基づいて識別情報を変動表示する識別情報表示手段と、
所定の遊技演出を実行可能な遊技演出実行手段と、
前記識別情報の変動表示の結果が特定結果となると遊技者に有利な特別遊技を実行可能な特別遊技実行手段と、を備えた遊技機であって、
前記遊技演出として、前記識別情報の変動表示の結果が特定結果であることを示す第１遊技演出と、前記開始条件の成立していない取得情報に特定結果となる取得情報が記憶されていることを示す第２遊技演出と、を有し、
前記遊技演出実行手段は、前記識別情報の変動表示の開始後、当該識別情報の変動表示の結果が特定結果となって前記特別遊技が実行されるまでの所定期間に、前記第１遊技演出及び前記第２遊技演出を順に実行する
ことを特徴とする遊技機。
【手続補正２】
【補正対象書類名】明細書
【補正対象項目名】０００７
【補正方法】変更
【補正の内容】
【０００７】
上述の課題を解決するための第１発明の遊技機は、
所定条件の成立に基づいて取得した取得情報を記憶する取得情報記憶手段と、
前記取得情報記憶手段に記憶される取得情報のうち、開始条件の成立した取得情報に基づいて識別情報を変動表示する識別情報表示手段と、
所定の遊技演出を実行可能な遊技演出実行手段と、
前記識別情報の変動表示の結果が特定結果となると遊技者に有利な特別遊技を実行可能な特別遊技実行手段と、を備えた遊技機であって、
前記遊技演出として、前記識別情報の変動表示の結果が特定結果であることを示す第１遊技演出と、前記開始条件の成立していない取得情報に特定結果となる取得情報が記憶されていることを示す第２遊技演出と、を有し、
前記遊技演出実行手段は、前記識別情報の変動表示の開始後、当該識別情報の変動表示の結果が特定結果となって前記特別遊技が実行されるまでの所定期間に、前記第１遊技演出及び前記第２遊技演出を順に実行する
ことを特徴とするものである。

【手続補正３】
【補正対象書類名】明細書
【補正対象項目名】０００８
【補正方法】変更
【補正の内容】
【０００８】
このような遊技機によれば、取得情報記憶手段に記憶される取得情報に基づいて識別情報を変動表示し、当該識別情報の変動表示の結果が特定結果となると遊技者に有利な特別遊技を実行可能な遊技機であって、識別情報の変動表示の結果が特定結果であることを示す第１遊技演出と、開始条件の成立していない取得情報に特定結果となる取得情報が記憶されていることを示す第２遊技演出と、を有している。また、遊技演出実行手段は、識別情報の変動表示の開始後、当該識別情報の変動表示の結果が特定結果となって特別遊技が実行されるまでの所定期間に、第１遊技演出及び第２遊技演出を順に実行するものとしている。
これにより、識別情報の変動表示が実行され、当該変動表示の結果に係る特別遊技が実行される前に、第１遊技演出及び第２遊技演出の両方を実行して、実行が確定する特別遊技の回数を予め遊技者に把握させることが可能となる。また、その後に当該確定した複数回の特別遊技を実行することで、遊技興趣を高めることが可能となる。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
前記特別遊技中の所定時期に特定演出を実行可能な演出実行手段を備え、
前記所定時期として、少なくとも、第１所定時期と、前記第１所定時期より後の第２所定時期と、が設けられており、
前記演出実行手段は、
前記第１所定時期に所定の実行条件が成立している場合には、前記第１所定時期に特定演出を実行し、
前記第１所定時期に前記実行条件が成立していない場合には、前記第２所定時期に特定演出を実行する
ことを特徴とする遊技機。
【請求項２】
前記実行条件を予め定められた複数の条件の中から選択する条件選択手段と、
前記条件選択手段により選択された条件を設定する条件設定手段と、を備える
ことを特徴とする請求項１に記載の遊技機。
【請求項３】
前記特別遊技の実行中に遊技球が入球可能となる可変入球口と、
前記可変入球口に入球した遊技球を検知可能な遊技球検知手段と、
前記遊技球検知手段により検知された遊技球の数を計数可能な計数手段と、を備え、
前記実行条件は、少なくとも、前記計数手段による計数値に応じて成立し得る条件である
ことを特徴とする請求項１又は２に記載の遊技機。
【請求項４】
前記特別遊技は、複数回のラウンド遊技によって構成されるものであり、
前記可変入球口は、前記ラウンド遊技中に遊技球が入球可能となるものであり、
１回のラウンド遊技につき前記可変入球口に入球可能な遊技球の数として所定の規定数が定められており、
前記計数手段は、１回のラウンド遊技において前記規定数を超えて前記可変入球口に入球した遊技球が前記遊技球検知手段により検知された場合、該検知された遊技球を計数の対象とする
ことを特徴とする請求項３に記載の遊技機。
【請求項５】
前記演出実行手段は、前記特定演出として、以後の遊技が遊技者にとって有利になるか否かを示す演出を実行可能である
ことを特徴とする請求項１から４の何れか一項に記載の遊技機。
【請求項６】
前記特別遊技の実行中に遊技球が所定の特定領域を通過したことに基づいて所定の特典を付与可能な特典付与手段と、
前記特別遊技の実行中に、前記特定領域への遊技球の通過有無に基づいて前記特典を付与するか否かが決定される特典決定遊技を実行する特典決定遊技実行手段と、を備え、
前記特典決定遊技として、少なくとも、第１特典決定遊技と、前記第１特典決定遊技に比べ前記特定領域への遊技球の通過可能性が低い第２特典決定遊技と、を有し、
前記演出実行手段は、前記特定演出として、前記第１特典決定遊技が実行されるか否かを示す演出を、前記特典決定遊技の実行前に実行可能である
ことを特徴とする請求項１から５の何れか一項に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
前記特別遊技中の所定時期に特定演出を実行可能な演出実行手段を備え、
前記所定時期として、少なくとも、第１所定時期と、前記第１所定時期より後の第２所定時期と、が設けられており、
前記演出実行手段は、
前記第１所定時期に所定の実行条件が成立している場合には、前記第１所定時期に特定演出を実行し、
前記第１所定時期に前記実行条件が成立していない場合には、前記第２所定時期に特定演出を実行する
ことを要旨とする。
（２）手段２の遊技機は、上記手段１の遊技機において、
前記実行条件を予め定められた複数の条件の中から選択する条件選択手段と、
前記条件選択手段により選択された条件を設定する条件設定手段と、を備える
ことを要旨とする。
（３）手段３の遊技機は、上記手段１又は２の遊技機において、
前記特別遊技の実行中に遊技球が入球可能となる可変入球口と、
前記可変入球口に入球した遊技球を検知可能な遊技球検知手段と、
前記遊技球検知手段により検知された遊技球の数を計数可能な計数手段と、を備え、
前記実行条件は、少なくとも、前記計数手段による計数値に応じて成立し得る条件である
ことを要旨とする。
（４）手段４の遊技機は、上記手段３の遊技機において、
前記特別遊技は、複数回のラウンド遊技によって構成されるものであり、
前記可変入球口は、前記ラウンド遊技中に遊技球が入球可能となるものであり、
１回のラウンド遊技につき前記可変入球口に入球可能な遊技球の数として所定の規定数が定められており、
前記計数手段は、１回のラウンド遊技において前記規定数を超えて前記可変入球口に入球した遊技球が前記遊技球検知手段により検知された場合、該検知された遊技球を計数の対象とする
ことを要旨とする。
（５）手段５の遊技機は、上記手段１から４の何れか一つの遊技機において、
前記演出実行手段は、前記特定演出として、以後の遊技が遊技者にとって有利になるか否かを示す演出を実行可能である
ことを要旨とする。
（６）手段６の遊技機は、上記手段１から５の何れか一つの遊技機において、
前記特別遊技の実行中に遊技球が所定の特定領域を通過したことに基づいて所定の特典を付与可能な特典付与手段と、
前記特別遊技の実行中に、前記特定領域への遊技球の通過有無に基づいて前記特典を付与するか否かが決定される特典決定遊技を実行する特典決定遊技実行手段と、を備え、
前記特典決定遊技として、少なくとも、第１特典決定遊技と、前記第１特典決定遊技に比べ前記特定領域への遊技球の通過可能性が低い第２特典決定遊技と、を有し、
前記演出実行手段は、前記特定演出として、前記第１特典決定遊技が実行されるか否かを示す演出を、前記特典決定遊技の実行前に実行可能である
ことを要旨とする。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
遊技球を検知可能な遊技球検知手段と、
前記遊技球検知手段により検知された遊技球の数を計数可能な計数手段と、
所定の演出を実行可能な演出実行手段と、を備え、
前記計数手段は、前記特別遊技の実行中に前記遊技球検知手段により検知される遊技球の数を計数可能であり、
前記演出実行手段は、前記特別遊技の実行中の所定期間において特定演出を実行可能であり、
前記特定演出の実行タイミングが、前記計数手段による計数値に応じて変化し得る
ことを特徴とする遊技機。
【請求項２】
前記演出実行手段は、少なくとも前記計数手段による計数値が所定値となることに基づいて前記特定演出を実行可能であり、
前記特別遊技の実行に際して、前記所定値を予め定められた複数の値の中から選択して設定する所定値設定手段を備える
ことを特徴とする請求項１に記載の遊技機。
【請求項３】
前記特別遊技の実行中に遊技球が入球可能となる可変入球口を備え、
前記遊技球検知手段は、前記可変入球口に入球した遊技球を検知可能である
ことを特徴とする請求項１又は２に記載の遊技機。
【請求項４】
前記特別遊技は、複数回のラウンド遊技によって構成されるものであり、
前記可変入球口は、前記ラウンド遊技中に遊技球が入球可能となるものであり、
１回のラウンド遊技につき前記可変入球口に入球可能な遊技球の数として所定の規定数が定められており、
前記計数手段は、１回のラウンド遊技において前記規定数を超えて前記可変入球口に入球した遊技球が前記遊技球検知手段により検知された場合、該検知された遊技球を計数の対象とする
ことを特徴とする請求項３に記載の遊技機。
【請求項５】
前記演出実行手段は、前記特定演出として、以後の遊技が遊技者にとって有利になるか否かを示す演出を実行可能である
ことを特徴とする請求項１から４の何れか一項に記載の遊技機。
【請求項６】
前記特別遊技の実行中に遊技球が所定の特定領域を通過したことに基づいて所定の特典を付与可能な特典付与手段と、
前記特別遊技の実行中に、前記特定領域への遊技球の通過有無に基づいて前記特典を付与するか否かが決定される特典決定遊技を実行する特典決定遊技実行手段と、を備え、
前記特典決定遊技として、少なくとも、第１特典決定遊技と、前記第１特典決定遊技に比べ前記特定領域への遊技球の通過可能性が低い第２特典決定遊技と、を有し、
前記演出実行手段は、前記特定演出として、前記第１特典決定遊技が実行されるか否かを示す演出を、前記特典決定遊技の実行前に実行可能である
ことを特徴とする請求項１から５の何れか一項に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
遊技球を検知可能な遊技球検知手段と、
前記遊技球検知手段により検知された遊技球の数を計数可能な計数手段と、
所定の演出を実行可能な演出実行手段と、を備え、
前記計数手段は、前記特別遊技の実行中に前記遊技球検知手段により検知される遊技球の数を計数可能であり、
前記演出実行手段は、前記特別遊技の実行中の所定期間において特定演出を実行可能であり、
前記特定演出の実行タイミングが、前記計数手段による計数値に応じて変化し得る
ことを要旨とする。
（２）手段２の遊技機は、上記手段１の遊技機において、
前記演出実行手段は、少なくとも前記計数手段による計数値が所定値となることに基づいて前記特定演出を実行可能であり、
前記特別遊技の実行に際して、前記所定値を予め定められた複数の値の中から選択して設定する所定値設定手段を備える
ことを要旨とする。
（３）手段３の遊技機は、上記手段１又は２の遊技機において、
前記特別遊技の実行中に遊技球が入球可能となる可変入球口を備え、
前記遊技球検知手段は、前記可変入球口に入球した遊技球を検知可能である
ことを要旨とする。
（４）手段４の遊技機は、上記手段３の遊技機において、
前記特別遊技は、複数回のラウンド遊技によって構成されるものであり、
前記可変入球口は、前記ラウンド遊技中に遊技球が入球可能となるものであり、
１回のラウンド遊技につき前記可変入球口に入球可能な遊技球の数として所定の規定数が定められており、
前記計数手段は、１回のラウンド遊技において前記規定数を超えて前記可変入球口に入球した遊技球が前記遊技球検知手段により検知された場合、該検知された遊技球を計数の対象とする
ことを要旨とする。
（５）手段５の遊技機は、上記手段１から４の何れか一つの遊技機において、
前記演出実行手段は、前記特定演出として、以後の遊技が遊技者にとって有利になるか否かを示す演出を実行可能である
ことを要旨とする。
（６）手段６の遊技機は、上記手段１から５の何れか一つの遊技機において、
前記特別遊技の実行中に遊技球が所定の特定領域を通過したことに基づいて所定の特典を付与可能な特典付与手段と、
前記特別遊技の実行中に、前記特定領域への遊技球の通過有無に基づいて前記特典を付与するか否かが決定される特典決定遊技を実行する特典決定遊技実行手段と、を備え、
前記特典決定遊技として、少なくとも、第１特典決定遊技と、前記第１特典決定遊技に比べ前記特定領域への遊技球の通過可能性が低い第２特典決定遊技と、を有し、
前記演出実行手段は、前記特定演出として、前記第１特典決定遊技が実行されるか否かを示す演出を、前記特典決定遊技の実行前に実行可能である
ことを要旨とする。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
予め定められた確率で当選する抽選を行い、該抽選に当選すると、遊技者に予め定められた遊技価値を付与する遊技手段と、
前記抽選に関する演出を行い、前記演出において前記抽選の結果を報知する演出手段と、
電源投入時の所定操作に応じて前記確率を３以上の複数段階の内から１に定める設定手段と、
前記設定手段により前記確率が変更されたか否かを判定する判定手段と、
前記判定手段により前記確率が変更されたと判定された場合、所定の頻度で前記確率の変更を示唆する確率示唆手段と、を備え、
該確率示唆手段は、前記設定手段により前記確率を２以上のＸ段階変更したときとＸ段階未満変更したときとでは、前記所定の頻度又は前記示唆の態様を相違させたこと、を特徴とする遊技機。
【請求項２】
請求項１に記載の遊技機において、
前記確率示唆手段は、前記設定手段により前記確率を高くしたときと低くしたときとでは、前記示唆の期間を相違させたこと、を特徴とする遊技機。
【請求項３】
請求項１又は請求項２に記載の遊技機において、
前記確率示唆手段は、前記設定手段により前記確率を変更した後、予め定められた期間経過すると前記確率の変更を示唆しないこと、を特徴とする遊技機。
【手続補正２】
【補正対象書類名】明細書
【補正対象項目名】０００５
【補正方法】変更
【補正の内容】
【０００５】
上記課題に鑑みてなされた請求項１に記載の遊技機は、予め定められた確率で当選する抽選を行い、該抽選に当選すると、遊技者に予め定められた遊技価値を付与する遊技手段と、抽選に関する演出を行い、演出において抽選の結果を報知する演出手段と、電源投入時の所定操作に応じて確率を３以上の複数段階の内から１に定める設定手段と、設定手段により確率が変更されたか否かを判定する判定手段と、判定手段により確率が変更されたと判定された場合、所定の頻度で確率の変更を示唆する確率示唆手段と、を備え、
該確率示唆手段は、設定手段により確率を２以上のＸ段階変更したときとＸ段階未満変更したときとでは、所定の頻度又は示唆の態様を相違させたこと、を特徴とする。
【手続補正３】
【補正対象書類名】明細書
【補正対象項目名】０００６
【補正方法】変更
【補正の内容】
【０００６】
このような構成によれば、抽選での当選確率の変更（以後、設定変更）がなされたことが示唆されるため、遊技者に対し、当選確率が高くなったとの期待感を持たせることができる。一方、設定変更を示唆するのみなので、遊技者は、当選確率が高くなったか低くなったかまでは把握できず、遊技者に不利な設定変更がなされた遊技機での遊技を避けることはできない。したがって、パチンコ店に損失を与えることなく、遊技者に抽選で当る確率が高いとの期待を抱かせることができる。
また、請求項１に記載の発明は、示唆の頻度又は示唆の態様の相違に基づき、有利な設定変更がなされたかどうかを推測する楽しみを遊技者に与えることができる。
【手続補正４】
【補正対象書類名】明細書
【補正対象項目名】０００７
【補正方法】変更
【補正の内容】
【０００７】
また、請求項２に記載の発明は、請求項１に記載の遊技機において、
確率示唆手段は、設定手段により確率を高くしたときと低くしたときとでは、示唆の期間を相違させたこと、を特徴とする。
請求項２に記載の発明は、示唆期間の相違に基づき、有利な設定変更がなされたかどうかを推測する楽しみを遊技者に与えることができる。
【手続補正５】
【補正対象書類名】明細書
【補正対象項目名】０００８
【補正方法】変更
【補正の内容】
【０００８】
請求項３に記載の発明は、請求項１又は請求項２に記載の遊技機において、
前記確率示唆手段は、前記設定手段により前記確率が変更された後、予め定められた期間経過すると前記確率の変更を示唆しないこと、を特徴とする。
【手続補正６】
【補正対象書類名】明細書
【補正対象項目名】０００９
【補正方法】変更
【補正の内容】
【０００９】
請求項３に記載の発明は、設定変更後、一定期間しか設定変更の示唆が行われないため、設定変更の示唆がなされた際の遊技者に対し、当選確率が増加したとの期待を持たせることができる。
【手続補正７】
【補正対象書類名】明細書
【補正対象項目名】００１０
【補正方法】変更
【補正の内容】
【００１０】
また、確率示唆手段は、判定手段により確率が変更されたと判定された場合において、該変更により確率が増加した時と、該確率が低下した時とでは、異なる頻度で、確率の変更を示唆しても良い。
このような構成によれば、設定変更の示唆の頻度が高ければ、遊技者は、当選確率が高くなったことを期待する。つまり、設定変更の示唆の頻度に基づき、有利な設定変更がなされたかどうかを推測する楽しみを遊技者に与えることができる。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
遊技として、少なくとも通常遊技と、該通常遊技より有利な有利遊技が存在する遊技機において、
外周面に複数種類の図柄が配置された複数の回胴と、
遊技毎に、抽選条件が成立したことを契機に、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記通常遊技と前記有利遊技とを、少なくとも実行可能な遊技実行手段と、
前記停止スイッチの操作順序を報知することが可能な報知手段と、
を具備し、
前記役抽選手段が内部抽選で決定する役の中には、正解操作順序で停止スイッチが操作されると目的小役が入賞する押し順小役があり、該押し順小役の中には、最初の正解操作順序が、左停止スイッチの左ファースト押し順小役及び右停止スイッチの右ファースト押し順小役があり、
前記内部抽選の結果、前記左ファースト押し順小役が決定された場合において、
左停止スイッチが最初に操作された後、前記目的小役が入賞したとき、前記図柄表示制御手段は、同種の小役明示図柄を特定のラインに一直線に表示し、
前記内部抽選の結果、前記右ファースト押し順小役が決定された場合において、
右停止スイッチが最初に操作された後、前記目的小役が入賞したとき、前記図柄表示制御手段は、同種の小役明示図柄を前記特定のラインに一直線に表示することなく、左回胴に単図柄小役明示図柄を表示し、
前記報知手段は、当選した押し順小役に応じた正解操作順序を報知することが可能であること、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、遊技として、少なくとも通常遊技と、該通常遊技より有利な有利遊技が存在する遊技機において、外周面に複数種類の図柄が配置された複数の回胴と、遊技毎に、抽選条件が成立したことを契機に、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記通常遊技と前記有利遊技とを、少なくとも実行可能な遊技実行手段と、前記停止スイッチの操作順序を報知することが可能な報知手段と、を具備し、前記役抽選手段が内部抽選で決定する役の中には、正解操作順序で停止スイッチが操作されると目的小役が入賞する押し順小役があり、該押し順小役の中には、最初の正解操作順序が、左停止スイッチの左ファースト押し順小役及び右停止スイッチの右ファースト押し順小役があり、前記内部抽選の結果、前記左ファースト押し順小役が決定された場合において、左停止スイッチが最初に操作された後、前記目的小役が入賞したとき、前記図柄表示制御手段は、同種の小役明示図柄を特定のラインに一直線に表示し、前記内部抽選の結果、前記右ファースト押し順小役が決定された場合において、右停止スイッチが最初に操作された後、前記目的小役が入賞したとき、前記図柄表示制御手段は、同種の小役明示図柄を前記特定のラインに一直線に表示することなく、左回胴に単図柄小役明示図柄を表示し、前記報知手段は、当選した押し順小役に応じた正解操作順序を報知することが可能であることを特徴とする。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
予め定められた確率で当選する抽選を行い、該抽選に当選すると、遊技者に予め定められた遊技価値を付与する遊技手段と、
前記抽選に関する演出を行い、前記演出において前記抽選の結果を報知する演出手段と、
該演出手段により前記抽選結果を報知する前に、前記抽選結果に対応する演出を行う先読み演出手段と、
電源投入時の所定操作に応じて前記確率を定める設定手段と、
前記設定手段により前記確率が変更されたか否かを判定する判定手段と、
前記判定手段により前記確率が変更されたと判定された場合、前記先読み演出手段による演出と共に所定の頻度で前記確率の変更を示唆する確率示唆手段と、
を備えたことを特徴とする遊技機。
【請求項２】
請求項１に記載の遊技機において、
前記確率示唆手段は、前記設定手段により前記確率が変更された後、予め定められた期間経過すると前記確率の変更を示唆しないこと、
を特徴とする遊技機。
【手続補正２】
【補正対象書類名】明細書
【補正対象項目名】０００５
【補正方法】変更
【補正の内容】
【０００５】
上記課題に鑑みてなされた請求項１に記載の遊技機は、予め定められた確率で当選する抽選を行い、該抽選に当選すると、遊技者に予め定められた遊技価値を付与する遊技手段と、抽選に関する演出を行い、演出において抽選の結果を報知する演出手段と、演出手段により抽選結果を報知する前に、抽選結果に対応する演出を行う先読み演出手段と、電源投入時の所定操作に応じて確率を定める設定手段と、設定手段により確率が変更されたか否かを判定する判定手段と、判定手段により確率が変更されたと判定された場合、先読み演出手段による演出と共に所定の頻度で確率の変更を示唆する確率示唆手段と、
を備えたことを特徴とする。
【手続補正３】
【補正対象書類名】明細書
【補正対象項目名】０００７
【補正方法】変更
【補正の内容】
【０００７】
また、請求項２に記載されているように、確率示唆手段は、設定手段により確率が変更された後、予め定められた期間経過すると確率の変更を示唆しない構成でも良い。
このような構成によれば、設定変更後、一定期間しか設定変更の示唆が行われないため、設定変更の示唆がなされた際の遊技者に対し、当選確率が増加したとの期待を持たせることができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、確率示唆手段は、判定手段により確率が変更されたと判定された場合において、該変更により確率が増加した時と、該確率が低下した時とでは、異なる頻度で、確率の変更を示唆しても良い。
このような構成によれば、設定変更の示唆の頻度が高ければ、遊技者は、当選確率が高くなったことを期待する。つまり、設定変更の示唆の頻度に基づき、有利な設定変更がなされたかどうかを推測する楽しみを遊技者に与えることができる。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
水上構造物を支持するために水底地盤に設置されるテーパー付鋼管杭であって、
一端に前記テーパー付鋼管杭の中心軸に直交する円形の第１開口部を形成する円筒形状を有するストレート部と、
前記ストレート部の他端に連接し且つ前記第１開口部の反対側に延伸し、前記中心軸方向に所定のテーパー角度で縮径し、先端に前記中心軸に直交する円形の第２開口部を形成するテーパー部と、
を有し、
前記テーパー部の鋼管肉厚は前記ストレート部の鋼管肉厚よりも小さいことを特徴とするテーパー付鋼管杭。
【請求項２】
前記ストレート部の長さは前記テーパー付鋼管杭の長さの1/3〜1/10である請求項１に記載の鋼管杭。
【請求項３】
前記テーパー角度は1〜4(度)である、請求項１又は２に記載のテーパー付鋼管杭。
【請求項４】
水上構造物を支持するために水底地盤に設置されるテーパー付鋼管杭を引き抜くための方法であって、
前記テーパー付鋼管杭は、
一端に前記テーパー付鋼管杭の中心軸に直交する円形の第１開口部を形成する円筒形状を有するストレート部と、
前記ストレート部の他端に連接し且つ前記第１開口部の反対側に延伸し、前記中心軸方向に所定のテーパー角度で縮径し、先端に前記中心軸に直交する円形の第２開口部を形成するテーパー部と、
を有し、前記テーパー部の鋼管肉厚は前記ストレート部の鋼管肉厚よりも小さいテーパー付鋼管杭、であることを特徴とする方法。
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
以下の順番で配設されたリニア構成を有する複数の活栓マニホールドを備える造影剤の調製用カセット：
１）ガス入口および［１８Ｏ］Ｈ２Ｏ回収のためのルアー接続部（２）；
２）アニオン交換カートリッジ−カラム溶離溶液；
３）アセトニトリル用穿刺接続部；
４）空のシリンジ；
５）造影剤前駆体の溶液貯槽；
６）反応容器；
７）ＨＰＬＣへの出口；
８）安定化剤溶液を含むシリンジ；
９）ＨＰＬＣからの入口；
１０）エタノール貯槽；
１１）アスコルビン酸またはその塩の溶液を含むシリンジ；
１２）水を含むシリンジ；
１３）最終生成物バイアル；
１４）空のシリンジ；ならびに
１５）反応容器および排出部。
【請求項２】
カラム溶離溶液が、１０ｍＬパンチバイアル中に存在する、請求項１に記載のカセット。
【請求項３】
アセトニトリルが、１０ｍＬパンチバイアル中に存在する、請求項１または２に記載のカセット。
【請求項４】
位置４）の空のシリンジが、３０ｍＬシリンジである、請求項１〜３のいずれか一項に記載のカセット。
【請求項５】
造影剤前駆体の溶液が、１０ｍＬパンチバイアル中に存在する、請求項１〜４のいずれか一項に記載のカセット。
【請求項６】
アスコルビン酸またはその塩の溶液が、２０ｍＬシリンジ中に存在する、請求項１〜５のいずれか一項に記載のカセット。
【請求項７】
アスコルビン酸またはその塩の溶液が、ｐＨ２である、請求項６に記載のカセット。
【請求項８】
エタノールが、３ｍＬシリンジ中に存在する、請求項１〜７のいずれか一項に記載のカセット。
【請求項９】
アスコルビン酸またはその塩の溶液を含む位置１１）のシリンジが、１０ｍＬシリンジである、請求項１〜８のいずれか一項に記載のカセット。
【請求項１０】
アスコルビン酸の溶液が、ｐＨ５．８である、請求項９に記載のカセット。
【請求項１１】
水が、５ｍＬシリンジ中に存在する、請求項１〜１０のいずれか一項に記載のカセット。
【請求項１２】
位置１４）の空のシリンジが、３０ｍＬシリンジである、請求項１〜１１のいずれか一項に記載のカセット。
【請求項１３】
造影剤が、式：
【化１】
2020169175.tif 000001
である、請求項１〜１２のいずれか一項に記載のカセット。
【請求項１４】
以下の順番で配設されたリニア構成を有する複数の活栓マニホールドを備える造影剤の合成装置：
１）ガス入口および［１８Ｏ］Ｈ２Ｏ回収のためのルアー接続部（２）；
２）アニオン交換カートリッジ−カラム溶離溶液；
３）アセトニトリル用穿刺接続部；
４）空のシリンジ；
５）造影剤前駆体の溶液貯槽；
６）反応容器；
７）ＨＰＬＣへの出口；
８）安定化剤溶液を含むシリンジ；
９）ＨＰＬＣからの入口；
１０）エタノール貯槽；
１１）安定化剤溶液を含むシリンジ；
１２）水を含むシリンジ；
１３）最終生成物バイアル；
１４）空のシリンジ；ならびに
１５）反応容器および排出部。
【請求項１５】
以下の順番で配設されたリニア構成を有する複数の活栓マニホールドを備える造影剤の合成装置：
１）ガス入口および［１８Ｏ］Ｈ２Ｏ回収のためのルアー接続部（２）；
２）アニオン交換カートリッジ−カラム溶離溶液；
３）造影剤前駆体の溶液貯槽；
４）空のシリンジ；
５）アセトニトリル用穿刺接続部；
６）反応容器；
７）ＨＰＬＣへの出口；
８）安定化剤溶液を含むシリンジ；
９）ＨＰＬＣからの入口；
１０）エタノール貯槽；
１１）安定化剤溶液を含むシリンジ；
１２）水を含むシリンジ；
１３）最終生成物バイアル；
１４）空のシリンジ；ならびに
１５）反応容器および排出部。
【請求項１６】
以下の順番で配設されたリニア構成を有する複数の活栓マニホールドを備える造影剤の合成装置：
１）ガス入口および［１８Ｏ］Ｈ２Ｏ回収のためのルアー接続部（２）；
２）アニオン交換カートリッジ−カラム溶離溶液；
３）造影剤前駆体の溶液貯槽；
４）空のシリンジ；
５）アセトニトリル用穿刺接続部；
６）反応容器；
７）ＨＰＬＣへの出口；
８）安定化剤溶液を含むシリンジ；
９）ＨＰＬＣからの入口；
１０）エタノール貯槽；
１１）最終生成物バイアル；
１２）水を含むシリンジ；
１３）安定化剤溶液を含むシリンジ；
１４）空のシリンジ；ならびに
１５）反応容器および排出部。
【請求項１７】
以下の順番で配設されたリニア構成を有する複数の活栓マニホールドを備える造影剤の合成装置：
１）ガス入口および［１８Ｏ］Ｈ２Ｏ回収のためのルアー接続部（２）；
２）アニオン交換カートリッジ−カラム溶離溶液；
３）アセトニトリル用穿刺接続部；
４）空のシリンジ；
５）造影剤前駆体の溶液貯槽；
６）反応容器；
７）ＨＰＬＣへの出口；
８）安定化剤溶液を含むシリンジ；
９）ＨＰＬＣからの入口；
１０）エタノール貯槽；
１１）最終生成物バイアル；
１２）水を含むシリンジ；
１３）安定化剤溶液を含むシリンジ；
１４）空のシリンジ；ならびに
１５）反応容器および排出部。
【請求項１８】
チューブをさらに備える請求項１４〜１７のいずれか一項に記載の合成装置。
【請求項１９】
置に流体が流通できるように接続される、造影剤合成モジュールをさらに備える請求項１４〜１８のいずれか一項に記載の合成装置。
【請求項２０】
安定化剤溶液が、アスコルビン酸またはその塩を含む、請求項１４〜１９のいずれか一項に記載の合成装置。
【請求項２１】
アスコルビン酸またはその塩の溶液を含む位置８）のシリンジが、アスコルビン酸の溶液をｐＨ２で含む、請求項２０に記載の合成装置。
【請求項２２】
アスコルビン酸またはその塩の溶液を含む位置１１）のシリンジが、アスコルビン酸の溶液をｐＨ５．８で含む、請求項２０または２１に記載の合成装置。
【請求項２３】
式：
【化２】
2020169175.tif 000002
を有する造影剤を調製可能である、請求項１４〜２２のいずれか一項に記載の合成装置。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
香料が乳化された乳化香料を得る工程と、
乳化香料と粉末基剤とを混合して、粉末基剤に乳化香料を吸着させる工程と、
を含み、
粉末基剤に乳化香料を吸着させる工程で得られた吸着物を乾燥させない、
乳化香料粉末の製造方法。
【請求項２】
前記乳化香料が、前記粉末基剤１００質量部に対して０．１〜１２０質量部の割合で添加される請求項１に記載の製造方法。
【請求項３】
前記乳化香料に含まれる乳化粒子が、０．０１〜５０μｍの平均粒子径を有する請求項１または２に記載の製造方法。
【請求項４】
前記乳化香料が、香料を０．００１〜５０質量％の割合で含む請求項１〜３のいずれかに記載の製造方法。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
熱可塑性樹脂（Ａ）１００重量部およびメタリック粒子（Ｂ）０．５〜１０質量部を含み、板状、繊維状および／または粒状フィラー（Ｃ）を含まないメタリック調熱可塑性樹脂ペレットであって、
前記熱可塑性樹脂（Ａ）がポリアミド、ポリオレフィンまたはポリカーボネートであり、
前記メタリック粒子（Ｂ）が平均粒子径１〜１００μｍのアルミニウム粒子であり、
前記ペレットは長軸方向に対する垂直断面が円形または楕円形の円柱形状を有し、
前記ペレットの長さが０．５〜２．８ｍｍであり、かつ断面の長径が０．５〜２．８ｍｍであり、
前記ペレットの長さ（ｍｍ）と前記断面の長径（ｍｍ）との積が０．５〜５．５である、メタリック調熱可塑性樹脂ペレット。
【請求項２】
前記熱可塑性樹脂（Ａ）がポリアミドである、請求項１に記載のメタリック調熱可塑性樹脂ペレット。
【請求項３】
前記メタリック粒子（Ｂ）の平均粒子径が１０〜８０μｍであり、
前記フィラー（Ｃ）の平均粒子径が０．１〜７μｍである、請求項１または２に記載のメタリック調熱可塑性樹脂ペレット。
【請求項４】
請求項１〜３のいずれかに記載のメタリック調熱可塑性樹脂ペレットを用いて、射出成形または押出成形して得られる成形体。
【手続補正２】
【補正対象書類名】明細書
【補正対象項目名】００８５
【補正方法】変更
【補正の内容】
【００８５】
【表１】
2020169340.tif 000001
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
水に溶解した少なくとも１つの物質を含む、組成物であって、該少なくとも１つの物質が、アスコルビン酸、チアミンＨＣｌ、硫酸マグネシウム、シアノコバラミン、ナイアシンアミド、ピリドキシンＨＣｌ、リボフラビン５’−リン酸、Ｄ−パントテン酸カルシウム、炭酸水素ナトリウム、ビタミンＫ２、および塩化ナトリウムを含み、かつ任意に２ジメチルアミノエタノールＨＣｌ、リポ酸、葉酸、抗生物質、ビタミン、ビタマー、塩、酸、アミノ酸、麻酔薬、微量金属、およびヘパリンの少なくとも１つをさらに含み、該水は、該少なくとも１つの物質がその中に溶解した後に、−２００ｍＶ〜＋８００ｍＶの電位を有する電気活性化水であり、注射、経口投与、局所投与、経粘膜投与、または経皮投与によって投与されるように用いられる、組成物。
【請求項２】
抗生物質を含む、請求項１記載の組成物。
【請求項３】
抗生物質が、エリスロマイシンおよびゲンタマイシンからなる群より選択される、請求項２記載の組成物。
【請求項４】
リポ酸およびその塩または混合物を含む、請求項１記載の組成物。
【請求項５】
リポ酸およびその塩または混合物が約２５０ｍｇの量で存在する、請求項４記載の組成物。
【請求項６】
麻酔薬を含む、請求項１記載の組成物。
【請求項７】
麻酔薬が、リグノカイン（リドカインまたはキシロカイン）、ブピバカイン、ジブカイン、プロカイン、クロロプロカイン、プリロカイン、メピバカイン、エチドカイン、テトラカイン、ならびにその塩、誘導体および混合物からなる群より選択される、請求項６記載の組成物。
【請求項８】
ヘパリンを含む、請求項１記載の組成物。
【請求項９】
微量金属を含む、請求項１記載の組成物。
【請求項１０】
微量金属が、Ｚｎ、Ｓｅ、Ｃｕ、ＭｎおよびＦｅからなる群より選択される、請求項９記載の組成物。
【請求項１１】
アルギニンをさらに含む、請求項１記載の組成物。
【請求項１２】
前記水が注射用水（ＷＦＩ）であり、前記物質が、ＵＳＰ品質基準に準拠している、請求項１記載の組成物。
【請求項１３】
それを必要とする対象における皮膚状態、糖尿病と関連する状態、心血管機能障害と関連する状態、もしくは金属中毒を処置もしくは改善するための、またはそれを必要とする対象において金属の量を低減するための、またはそれを必要とする対象からの金属排泄を増大させるための、請求項１〜１２のいずれか一項記載の組成物。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
遊技機裏面側の上部に備えられており、島設備から供給される遊技球を貯留可能な貯留領域を有する貯留部と、
前記貯留領域に貯留されている遊技球を、当該遊技機の背面視右方側に向けて球誘導可能なタンクレール部と、
前記貯留領域の外側であり、且つ、前記貯留領域よりも当該遊技機の前方側に設けられる第１の貯留領域外傾斜部と、
前記貯留領域の外側であり、且つ、前記タンクレール部の上方に設けられる第２の貯留領域外傾斜部と
を備え、
前記第２の貯留領域外傾斜部は、前記貯留領域の右方側に形成され、
前記第１の貯留領域外傾斜部は、前記貯留領域の外側に溢れた遊技球を前記貯留領域内に流入させることが可能な第１傾斜面を有し、
前記第２の貯留領域外傾斜部は、前記貯留領域の外側に溢れた遊技球を前記タンクレール部に流入させることが可能な第２傾斜面を有し、
前記第１傾斜面は、前記貯留領域に遊技球を戻すことができる所定の左右幅を有しており、該第１傾斜面に対して当該遊技機の側方側には別傾斜面が設けられており、
前記第２傾斜面は、所定の左右幅を有しており、該第２傾斜面に対して当該遊技機の前方側には前記別傾斜面が設けられており、
前記第２傾斜面と前記別傾斜面は、当該遊技機の前方側から後方側に下り傾斜するように構成されてなる
ことを特徴とする遊技機。
【手続補正２】
【補正対象書類名】明細書
【補正対象項目名】０００７
【補正方法】変更
【補正の内容】
【０００７】
本発明は、
遊技機裏面側の上部に備えられており、島設備から供給される遊技球を貯留可能な貯留領域を有する貯留部と、
前記貯留領域に貯留されている遊技球を、当該遊技機の背面視右方側に向けて球誘導可能なタンクレール部と、
前記貯留領域の外側であり、且つ、前記貯留領域よりも当該遊技機の前方側に設けられる第１の貯留領域外傾斜部と、
前記貯留領域の外側であり、且つ、前記タンクレール部の上方に設けられる第２の貯留領域外傾斜部と
を備え、
前記第２の貯留領域外傾斜部は、前記貯留領域の右方側に形成され、
前記第１の貯留領域外傾斜部は、前記貯留領域の外側に溢れた遊技球を前記貯留領域内に流入させることが可能な第１傾斜面を有し、
前記第２の貯留領域外傾斜部は、前記貯留領域の外側に溢れた遊技球を前記タンクレール部に流入させることが可能な第２傾斜面を有し、
前記第１傾斜面は、前記貯留領域に遊技球を戻すことができる所定の左右幅を有しており、該第１傾斜面に対して当該遊技機の側方側には別傾斜面が設けられており、
前記第２傾斜面は、所定の左右幅を有しており、該第２傾斜面に対して当該遊技機の前方側には前記別傾斜面が設けられており、
前記第２傾斜面と前記別傾斜面は、当該遊技機の前方側から後方側に下り傾斜するように構成されてなる
ことを特徴とする。
また、本発明とは別の発明として以下の手段を参考的に開示する。
手段１：遊技機において、
「遊技が行われる遊技領域と、
該遊技領域の外周を区画している枠状の前構成部材と、
該前構成部材の後側に取付けられており、前記遊技領域の後端側を区画している透明な平板状の遊技パネルと、
該遊技パネルの後側に取付けられていると共に、正面視において前記遊技領域内の中央で前記遊技パネルを通して視認可能に配置されており、演出画像を表示可能な演出表示手段と、
該演出表示手段と前記遊技パネルとの間で、正面視において該遊技領域内の中央に配置されており、周面から入射された光により特定の対象物が描かれた特定絵柄を発光表示させる透明平板状の導光板と、
該導光板の周面へ向かって光を照射する複数の導光板用ＬＥＤと、
前記導光板に対して前後方向へ離隔して配置され、正面視において該導光板の外周よりも外側の位置から内側の位置まで延出していると共に、前記特定絵柄に描かれている対象物と同じような形状に形成されており、前記導光板の表面と平行な透明平板状の装飾体と、
正面視において前記導光板よりも外側に配置されており、前記装飾体に光を照射して該装飾体を発光装飾させる複数の装飾体用ＬＥＤと
を具備している」ものであることを特徴とする。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
遊技機裏面側の上部に備えられており、島設備から供給される遊技球を貯留可能な貯留領域を有する貯留部と、
前記貯留領域に貯留されている遊技球を、所定の払出装置が位置する下流側に向けて球誘導可能なタンクレール部と、
を具備する遊技機において、
前記貯留領域の上方開口を区画する区画壁部と、
前記区画壁部により区画された前記上方開口の外側に形成された非貯留領域部と、
備え、
所定事象によって前記非貯留領域部に位置した遊技球を前記タンクレール部に流入させうるように、前記タンクレール部側に向けて遊技球を誘導可能な特定傾斜面が前記非貯留領域部に形成されてなり、
前記特定傾斜面を流下した遊技球は、所定の開口箇所を通じて前記タンクレール部に流入しうるものであり、
前記タンクレール部の側壁部のうち、前記所定の開口箇所を形成する側壁部の高さは、複数個の遊技球の径よりも大きい
ことを特徴とする遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】変更
【補正の内容】
【０００４】
しかしながら、特許文献１に記載のような従来同様の遊技機構成では利便性の更なる向上を図ることが困難であった。
【手続補正４】
【補正対象書類名】明細書
【補正対象項目名】０００６
【補正方法】変更
【補正の内容】
【０００６】
本発明は、このような事情に鑑みてなされたものであり、その目的とするところは、新たな態様の遊技機を提供することにある。
【手続補正５】
【補正対象書類名】明細書
【補正対象項目名】０００７
【補正方法】変更
【補正の内容】
【０００７】
本発明は、
遊技機裏面側の上部に備えられており、島設備から供給される遊技球を貯留可能な貯留領域を有する貯留部と、
前記貯留領域に貯留されている遊技球を、所定の払出装置が位置する下流側に向けて球誘導可能なタンクレール部と、
を具備する遊技機において、
前記貯留領域の上方開口を区画する区画壁部と、
前記区画壁部により区画された前記上方開口の外側に形成された非貯留領域部と、
備え、
所定事象によって前記非貯留領域部に位置した遊技球を前記タンクレール部に流入させうるように、前記タンクレール部側に向けて遊技球を誘導可能な特定傾斜面が前記非貯留領域部に形成されてなり、
前記特定傾斜面を流下した遊技球は、所定の開口箇所を通じて前記タンクレール部に流入しうるものであり、
前記タンクレール部の側壁部のうち、前記所定の開口箇所を形成する側壁部の高さは、複数個の遊技球の径よりも大きい
ことを特徴とする。
また、本発明とは別の発明として以下の手段を参考的に開示する。
手段１：遊技機において、
「遊技が行われる遊技領域と、
正面視において該遊技領域内の中央に配置されており、周面から入射された光により特定の対象物が描かれた特定絵柄を発光表示させる透明平板状の導光板と、
該導光板の周面へ向かって光を照射する複数の導光板用ＬＥＤと、
前記導光板に対して前後方向へ離隔して配置され、正面視において該導光板の外周よりも外側の位置から内側の位置まで延出していると共に、前記特定絵柄に描かれている対象物と同じような形状に形成されており、前記導光板の表面と平行な透明平板状の装飾体と、
正面視において前記導光板よりも外側に配置されており、前記装飾体に光を照射して該装飾体を発光装飾させる複数の装飾体用ＬＥＤと
を具備している」ものであることを特徴とする。
【手続補正６】
【補正対象書類名】明細書
【補正対象項目名】００７３
【補正方法】変更
【補正の内容】
【００７３】
本発明によれば、利便性の高い遊技機を提供することができる。